(57)【要約】【課題】画像認識対象の複数の商品に対してそれぞれ異なる認識処理を適用することができる画像認識装置、システム、方法およびプログラムを提供する。【解決手段】本発明の一実施形態に係る画像認識装置としてのＰＯＳ端末１００は、認識領域に配置されている商品の画像を取得する画像取得部１１０と、取得した画像における商品の外観および商品の認識領域中の位置に基づいて、商品を識別する画像認識部１２０と、を備える。【選択図】図２
2018132868.tif 000002
【特許請求の範囲】
【請求項１】
認識領域に配置されている商品の画像を取得する画像取得部と、
取得した前記画像における前記商品の外観および前記商品の前記認識領域中の位置に基づいて、前記商品を識別する画像認識部と、
を備える画像認識装置。
【請求項２】
前記認識領域は少なくとも２つの領域に区分されており、
前記画像認識部は、前記少なくとも２つの領域に対してそれぞれ異なる処理を用いて前記商品を識別することを特徴とする、請求項１に記載の画像認識装置。
【請求項３】
前記少なくとも２つの領域は、前記認識領域に表された記号又は色、前記認識領域に投影された光、および前記認識領域に設けられた構造のいずれかによって示されることを特徴とする、請求項２に記載の画像認識装置。
【請求項４】
前記画像取得部は、前記認識領域に設けられた支持構造によって支持されている前記商品の前記画像を取得し、
前記画像認識部は、取得した前記画像における前記商品の外観および前記商品の前記支持構造上の位置に基づいて、前記商品を識別することを特徴とする、請求項１〜３のいずれか一項に記載の画像認識装置。
【請求項５】
前記画像認識部は、取得した前記画像を前記支持構造が前記商品を支持する角度に基づいて補正し、補正された前記画像を用いて前記商品を識別することを特徴とする請求項４に記載の画像認識装置。
【請求項６】
前記画像認識部は、前記商品の前記認識領域中の前記位置に基づいて前記商品の大きさを判定し、前記大きさを用いて前記商品を識別することを特徴とする、請求項１〜５のいずれか一項に記載の画像認識装置。
【請求項７】
前記画像認識部は、前記商品を識別する際に、前記商品の前記認識領域中の前記位置に基づいて前記商品の種類を判定し、前記種類を用いて前記商品を識別することを特徴とする、請求項１〜６のいずれか一項に記載の画像認識装置。
【請求項８】
前記画像認識部は、前記商品を識別する際に、前記商品の前記認識領域中の前記位置に基づいて、取得した前記画像における前記商品の前記認識領域中の前記位置の明るさを判定し、前記明るさを用いて前記商品を識別することを特徴とする、請求項１〜７のいずれか一項に記載の画像認識装置。
【請求項９】
認識領域に配置されている商品の画像を取得するステップと、
取得した前記画像における前記商品の外観および前記商品の前記認識領域中の位置に基づいて、前記商品を識別するステップと、
を有する画像認識方法。
【請求項１０】
コンピュータに、
認識領域に配置されている商品の画像を取得するステップと、
取得した前記画像における前記商品の外観および前記商品の前記認識領域中の位置に基づいて、前記商品を識別するステップと、
を実行させるプログラム。
【請求項１１】
商品を載置するための載置台と、
撮像装置によって取得される前記商品の画像に対して画像認識を行う画像認識装置と、
を備え、
前記画像認識装置は、
前記載置台上の認識領域に配置されている前記商品の前記画像を取得する画像取得部と、
取得した前記画像における前記商品の外観および前記商品の前記認識領域中の位置に基づいて、前記商品を識別する画像認識部と、を備える
ことを特徴とする画像認識システム。
【発明の詳細な説明】
【技術分野】
【０００１】
本発明は、画像認識を行う装置、システム、方法およびプログラムに関する。
【背景技術】
【０００２】
従来、顧客が小売店等において商品を購入する際には、ＰＯＳ端末が商品に付されたバーコードを読み取ることによって商品を識別し、名称や価格等の商品情報を取得することが一般的であった。近年、商品にバーコードが付されていることを必要とせず、画像認識技術を用いて商品の外観的な特徴に基づいて商品を識別する技術が開発されている。
【０００３】
特許文献１には、所定の認識領域に配置された複数の商品を撮像し、撮像された画像の特徴量から該複数の商品を一括して認識する技術が記載されている。これにより、複数の商品を同時に識別して商品情報を効率的に取得することができる。
【先行技術文献】
【特許文献】
【０００４】
【特許文献１】特開２０１３−５４６７３号公報
【発明の概要】
【発明が解決しようとする課題】
【０００５】
飲料缶のように共通のロゴマークを含み様々な大きさで販売されている商品は、画像認識の処理で見分けることが難しい場合がある。また、生鮮食品のように形状や色が多様であり、形状や色を用いる画像認識の処理が適用しづらい商品がある。そのため、商品の種類や状態に従って異なる処理を行うことによって、画像認識の精度を向上させることができると考えられる。しかしながら、特許文献１に記載の技術では、認識領域内に配置される複数の商品が等しく扱われるため、商品によって異なる認識処理を適用することはできない。
【０００６】
本発明は、上述の問題に鑑みて行われたものであって、画像認識対象の複数の商品に対してそれぞれ異なる認識処理を適用することができる画像認識装置、システム、方法およびプログラムを提供することを目的とする。
【課題を解決するための手段】
【０００７】
本発明の第１の態様は、画像認識装置であって、認識領域に配置されている商品の画像を取得する画像取得部と、取得した前記画像における前記商品の外観および前記商品の前記認識領域中の位置に基づいて、前記商品を識別する画像認識部と、を備える。
【０００８】
本発明の第２の態様は、画像認識方法であって、認識領域に配置されている商品の画像を取得するステップと、取得した前記画像における前記商品の外観および前記商品の前記認識領域中の位置に基づいて、前記商品を識別するステップと、を有する。
【０００９】
本発明の第３の態様は、プログラムであって、コンピュータに、認識領域に配置されている商品の画像を取得するステップと、取得した前記画像における前記商品の外観および前記商品の前記認識領域中の位置に基づいて、前記商品を識別するステップと、を実行させる。
【００１０】
本発明の第４の態様は、画像認識システムであって、商品を載置するための載置台と、撮像装置によって取得される前記商品の画像に対して画像認識を行う画像認識装置と、を備え、前記画像認識装置は、前記載置台上の認識領域に配置されている前記商品の前記画像を取得する画像取得部と、取得した前記画像における前記商品の外観および前記商品の前記認識領域中の位置に基づいて、前記商品を識別する画像認識部と、を備える。
【発明の効果】
【００１１】
本発明によれば、認識領域に配置されている複数の商品に対してそれぞれ商品の位置に基づいて異なる画像認識の処理を行うことができる。
【図面の簡単な説明】
【００１２】
【図１】第１の実施形態に係る画像認識システムの模式図である。
【図２】第１の実施形態に係るＰＯＳ端末のブロック図である。
【図３】第１の実施形態に係る支持部の斜視図である。
【図４】第１の実施形態で認識対象とする商品の模式図である。
【図５】第１の実施形態に係る商品が配置された状態の支持部の上面図である。
【図６】第１の実施形態に係るＰＯＳ端末の概略構成図である。
【図７】第１の実施形態に係る画像認識方法のフローチャートを示す図である。
【図８】第２の実施形態に係る載置台上の認識領域の上面図である。
【図９】第２の実施形態に係る画像認識方法のフローチャートを示す図である。
【図１０】第３の実施形態に係る載置台上の認識領域の上面図である。
【図１１】第３の実施形態に係る画像認識方法のフローチャートを示す図である。
【図１２】各実施形態に係るＰＯＳ端末の概略構成図である。
【発明を実施するための形態】
【００１３】
以下、図面を参照して、本発明の実施形態を説明するが、本発明は本実施形態に限定されるものではない。なお、以下で説明する図面で、同機能を有するものは同一符号を付け、その繰り返しの説明は省略することもある。
【００１４】
（第１の実施形態）
図１は、本実施形態に係る画像認識システム１０の模式図である。画像認識システム１０は、画像認識装置としてのＰＯＳ端末（販売時点情報管理端末）１００、画像認識の対象とする商品を載置するための載置台１４、および載置台１４上において商品を支持するための支持部２００を備える。ＰＯＳ端末１００には、載置台１４上の商品を撮像可能な位置に設けられた撮像装置１１、載置台１４上に所定の像を投影可能な投影装置１２、および商品に係る情報を表示する表示装置１３が接続されている。本実施形態では、画像認識装置は、ＰＯＳ端末１００と一体として構成されているが、ＰＯＳ端末１００とは別に設けられ、ＰＯＳ端末１００と必要な情報を授受して本実施形態に係る画像認識方法を実施するように構成されてもよい。
【００１５】
ＰＯＳ端末１００は、表示装置１３に会計中の商品情報、会計の金額、所定のメッセージ等を表示する。商品情報は、後述の画像認識方法によって取得される。また、ＰＯＳ端末１００は、入出金やレシートの印刷等、会計に係る任意の処理を行ってよい。
【００１６】
載置台１４は、水平方向（すなわち重力方向に対して垂直な方向）に延在する載置面を有する。載置台１４の載置面上に１つ以上の商品Ｂが載置される。
【００１７】
撮像装置１１は、重力方向に沿って載置台１４の上方に設けられ、不図示の柱、アーム、天井等に固定される。撮像装置１１は、例えばＣＣＤ（Ｃｈａｒｇｅ  Ｃｏｕｐｌｅｄ  Ｄｅｖｉｃｅ）センサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等のイメージセンサによって画像を取得するカメラ又はスキャナ等の任意の撮像装置である。撮像装置１１は、少なくとも載置台１４の載置面を含む領域を撮像可能であり、撮像した画像を示す信号をＰＯＳ端末１００に送信する。撮像装置１１が撮像した画像を示す信号は、直接ＰＯＳ端末１００に送信されてよく、あるいは一旦記憶装置に記録された後にＰＯＳ端末１００によって読み出されてよい。載置台１４上の商品を一様に撮像するために、撮像装置１１の光軸は載置台１４の載置面の法線と一致していることが望ましい。撮像装置１１は、所定の時間間隔で撮像を行ってよく、あるいはＰＯＳ端末１００からの指示に従って撮像を行ってよい。
【００１８】
投影装置１２は、重力方向に沿って載置台１４の上方に設けられ、不図示の柱、アーム、天井等に固定される。投影装置１２はランプ、ＬＥＤ（Ｌｉｇｈｔ  Ｅｍｉｔｔｉｎｇ  Ｄｉｏｄｅ）等の光源を用いて所望の像を投影するプロジェクタ等の任意の投影装置である。投影装置１２は、ＰＯＳ端末１００からの信号に従って、載置台１４の載置面上に像を投影する。投影装置１２は、このような投影が実現可能な所定位置に設置される。投影装置１２の設置位置は設計的事項である。例えば、投影装置１２は、載置面の真上や斜め上方に設置され、当該方向から像を投影してもよい。その他、投影装置１２は、載置面上に設置され、横方向から像を投影してもよい。その他、載置台１４を透明の部材で構成し、載置台１４の下方に投影装置１２を設置してもよい。この場合、投影装置１２は、載置台１４の下側から、載置台１４の載置面上に像を投影する。
【００１９】
本実施形態において投影装置１２は、撮像装置１１によって撮像されて画像認識が行われる認識領域Ａを示す像（例えば認識領域Ａを取り囲む枠）を載置台１４の載置面上に投影する。認識領域Ａは、撮像装置１１の撮像領域と一致してよく、あるいは撮像装置１１の撮像領域の一部でよい。認識領域Ａは、ＰＯＳ端末１００において予め設定されてよく、あるいは利用者によって設定されてよい。
【００２０】
支持部２００は、載置台１４の載置面上において、商品Ｂを重力方向に対して所定の角度に支持するための支持構造である。支持部２００は、認識領域Ａ内において、載置台１４と一体に（すなわち載置台１４の一部として）構成されてよく、あるいは載置台１４上に載置される部材として構成されてよい。支持部２００の詳細な構成については、図３を用いて後述する。
【００２１】
表示装置１３は、利用者（すなわち店員又は顧客）に対して商品情報等の任意の情報を表示する表示装置である。表示装置１３として、ＣＲＴ（Ｃａｔｈｏｄｅ  Ｒａｙ  Ｔｕｂｅ）ディスプレイ、液晶ディスプレイ等の任意の表示装置を用いてよい。
【００２２】
商品認識方法を実行する際には、認識対象の各商品Ｂは載置台１４上の認識領域Ａ内に直接配置されるか、あるいは支持部２００に配置される。具体的には、商品Ｂが置かれる時に、商品Ｂの外観的な特徴を自然と重力方向に沿って上方に向けられる（すなわち撮像装置１１に向けられる）場合には、その商品Ｂは載置台１４上の認識領域Ａ内に直接配置される。一方、商品Ｂが置かれる時に、商品Ｂの外観的な特徴が重力方向に対して側方に向く（すなわち撮像装置１１に向かない）場合には、その商品Ｂは支持部２００の上に配置される。外観的な特徴が重力方向に対して側方に向く商品Ｂは、例えば、飲料缶のように略円柱形を有している物品、あるいは透明な容器に入った柔らかい菓子のように横倒しにすることで破損する物品である。
【００２３】
図２は、本実施形態に係るＰＯＳ端末１００（画像認識装置）のブロック図である。図２において、矢印は主なデータの流れを示しており、図２に示したもの以外のデータの流れがあってよい。図２において、各ブロックはハードウェア（装置）単位の構成ではなく、機能単位の構成を示している。そのため、図２に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００２４】
ＰＯＳ端末１００は、処理部として、画像取得部１１０、画像認識部１２０、商品情報取得部１３０および表示制御部１４０を備える。また、ＰＯＳ端末１００は、記憶部として、識別情報記憶部１５１および商品情報記憶部１５２を備える。
【００２５】
画像取得部１１０は、撮像装置１１によって撮像された画像を示す信号を受け取り、画像データとしてＰＯＳ端末１００に入力する。画像データは、撮像装置１１から直接取得されてよく、あるいは記憶装置に記録されたものを読み出すことにより取得されてよい。
【００２６】
画像認識部１２０は、画像取得部１１０によって取得された画像データに含まれる各商品を抽出する。画像認識部１２０は、通常の画像認識処理として、例えば、識別情報記憶部１５１には、様々な商品の基準画像から予め算出された特徴量が、各商品を識別する商品ＩＤと関連付けられて記録される。特徴量として、形状、色、色の分布等、画像データから算出可能な商品の外観を示す任意の情報を用いてよい。画像認識部１２０は、画像取得部１１０によって取得された画像データから特徴量を算出し、識別情報記憶部１５１に記録された特徴量と比較する。そして、画像認識部１２０は、識別情報記憶部１５１の中で最も類似する（すなわち所定の基準を満たす）特徴量を有する商品を、画像データ中の商品として識別する。画像認識部１２０は、識別された商品の商品ＩＤを識別情報記憶部１５１から取得する。画像認識部１２０によって実行される商品認識方法として、ここに示した具体的な方法に限定されず、画像データから商品を識別可能な任意の画像認識技術が用いられてよい。さらに本実施形態では、通常の画像認識処理に加えて又は代えて、後述のように商品が配置されている位置（領域）ごとに異なる画像認識処理を行う。
【００２７】
さらに画像認識部１２０は、支持部２００によって支持される商品と、載置台１４に直接載置される（すなわち支持部２００によって支持されない）商品との間で異なる処理を適用する。支持部２００が商品を支持する角度Ｃ１（図３参照）、および撮像装置１１と支持部２００との位置関係は一定であり、既知である。そのため、画像認識部１２０は、画像データの中で支持部２００に対応する領域に対して、角度Ｃ１および撮像装置１１と支持部２００との位置関係を用いて補正する。すなわち、画像認識部１２０は、撮像装置１１により撮像された商品の画像を、商品が支持される角度Ｃ１および撮像装置１１と支持部２００との位置関係を用いて伸長することによって、該商品の側面を真正面から撮像する場合に近い画像を生成する。このように補正された画像は一般的に真正面から商品を撮像することによって取得される基準画像と近い状態となるため、上述の画像認識の精度を向上させることができる。
【００２８】
商品情報記憶部１５２には、商品の名称、価格等の商品に係る任意の商品情報が、商品ＩＤと関連付けられて予め記録される。商品情報取得部１３０は、画像認識部１２０によって取得された商品ＩＤに基づいて、商品情報記憶部１５２に記録された商品情報を取得する。
【００２９】
表示制御部１４０は、商品情報取得部１３０によって取得された各商品の商品情報を表示する制御を行う。本実施形態において表示制御部１４０は、表示装置１３による表示のほか、プリンタによるレシート印刷等、利用者に対して視覚的に示す処理を制御する。
【００３０】
図３は、本実施形態に係る商品支持構造としての支持部２００の斜視図である。本実施形態では支持部２００は載置台１４と別の部材として構成されているが、載置台１４の載置面の一部を図３の商品支持構造にすることによって構成されてよい。支持部２００は、側面支持体２１０および底面支持体２２０を備える。側面支持体２１０は商品の側面を支持する側面支持面２１１を有し、底面支持体２２０は商品の底面を支持する底面支持面２２１を有する。側面支持面２１１および底面支持面２２１が互いに垂直（すなわちそれらのなす角度が９０度）であり、かつ側面支持面２１１が水平方向（すなわち重力方向に対して垂直な方向）に対して所定の角度Ｃ１をなすように、側面支持体２１０および底面支持体２２０は設けられている。このような構成により、支持部２００は商品を角度Ｃ１で支持し、撮像装置１１による商品の側面の撮像を容易にすることができる。
【００３１】
角度Ｃ１は、撮像装置１１が商品の側面を安定して撮像できるように、好ましくは０度より大きく９０度より小さい角度であり、より好ましくは３０度以上６０度以下の角度であり、本実施形態では４５度である。角度Ｃ１が水平方向に対して６０度より大きい角度である場合には、商品の側面を撮像装置１１から急角度で撮像することになるため、画像認識の精度が低下する。角度Ｃ１が水平方向に対して３０度より小さい角度である場合には、略円柱形の商品が転がったり、柔らかい商品が破損したりするおそれがある。
【００３２】
側面支持面２１１には、側面支持面２１１を２つの領域に区分する領域区分部２１２が設けられる。領域区分部２１２は、側面支持面２１１上において底面支持面２２１に垂直な方向に延在する突起である。領域区分部２１２は、領域を利用者に視覚的に示すことができれば、側面支持面２１１上に表された記号又は色、あるいは投影装置１２により投影された光、あるいは側面支持面２１１上に設けられた構造でよい。
【００３３】
図４は、本実施形態で認識対象とする商品Ｄ１、Ｄ２の模式図である。商品Ｄ１、Ｄ２は飲料缶のように略円柱形を有している物品である。商品Ｄ１、Ｄ２は互いに異なる大きさを有しており、例えば商品Ｄ１は３５０ｍｌ入りであり、商品Ｄ２は５００ｍｌ入りである。商品Ｄ１、Ｄ２の側面には、共通のロゴマークＥが表されている。すなわち、商品Ｄ１、Ｄ２は大きさが異なるバリエーションの商品である。一般的な画像認識技術は画像データ中の形状、色、色の分布等の特徴量に基づいて画像認識を行う。そのため共通のロゴマークＥを有する商品Ｄ１、Ｄ２は、画像認識によって区別されづらく、同一の商品であると誤認されやすい。
【００３４】
本実施形態では、このように外観が類似した商品Ｄ１、Ｄ２について、それらが配置される位置（領域）の情報を用いることによって画像認識の精度を向上させる。
【００３５】
図５（ａ）、５（ｂ）は、商品が配置された状態の支持部２００の上面図である。図５（ａ）、５（ｂ）はそれぞれ、側面支持面２１１に対して垂直な方向から、商品Ｄ１、Ｄ２を支持している状態の支持部２００を見た図である。図５（ａ）、５（ｂ）のように側面支持面２１１が商品Ｄ１、Ｄ２の側面を支持し、底面支持面２２１が商品Ｄ１、Ｄ２の底面を支持するため、支持部２００は商品Ｄ１、Ｄ２を安定的に支持するとともに、撮像装置１１による商品Ｄ１、Ｄ２の側面の撮像を容易にすることができる。
【００３６】
側面支持面２１１は、領域区分部２１２によって第１の領域Ｆ１および第２の領域Ｆ２に区分される。画像認識部１２０は、商品が領域Ｆ１およびＦ２のどちらに配置されているか（すなわち商品が配置されている位置）によって異なる認識処理を行う。
【００３７】
領域Ｆ１、Ｆ２の判別のために、画像認識部１２０は、撮像装置１１によって取得される画像中の各画素が領域Ｆ１およびＦ２のどちらに属するかの情報を予め設定し、商品の位置に対応する画素に基づいて、商品が領域Ｆ１およびＦ２のどちらに配置されているかを判定してもよい。あるいは、画像認識部１２０は、領域区分部２１２の位置を認識し、領域区分部２１２の位置と商品との位置関係に基づいて、商品が領域Ｆ１およびＦ２のどちらに配置されているかを判定してもよい。
【００３８】
例えば、商品Ｄ１、Ｄ２が第１の領域Ｆ１に配置されている場合には、画像認識部１２０は、商品Ｄ１、Ｄ２を小さい商品として判定する。すなわち、図５（ａ）の例では小さい商品Ｄ１および大きい商品Ｄ２はいずれも小さい商品として判定される。また、商品Ｄ１、Ｄ２が第２の領域Ｆ２に配置されている場合には、画像認識部１２０は、商品Ｄ１、Ｄ２を大きい商品として判定する。すなわち、図５（ｂ）の例では小さい商品Ｄ１および大きい商品Ｄ２はいずれも大きい商品として判定される。実際の運用においては、利用者が小さい商品Ｄ１を第１の領域Ｆ１に配置し、大きい商品Ｄ２を第２の領域Ｆ２に配置することによって、画像認識部１２０は類似する大きさ違いの商品Ｄ１、Ｄ２を正しく識別することができる。
【００３９】
換言すると、画像認識部１２０は、商品の外観の情報に加えて、商品が配置されている位置の情報に基づいて、商品の識別を行う。これにより商品の外観からのみでは識別が難しい商品について、識別の精度を向上させることができる。
【００４０】
画像認識部１２０が利用する領域の数は２つに限られず、区別すべき大きさの数に応じて少なくとも２つ以上の任意の数でよい。また、画像認識部１２０は、商品の大きさに限られず、外観のみから区別しづらい商品のその他の性質（味や香り等のバリエーション）を区別するために位置の情報を用いてよい。
【００４１】
図６は、本実施形態に係るＰＯＳ端末１００（画像認識装置）の例示的な機器構成を示す概略構成図である。ＰＯＳ端末１００は、ＣＰＵ（Ｃｅｎｔｒａｌ  Ｐｒｏｃｅｓｓｉｎｇ  Ｕｎｉｔ）１０１と、メモリ１０２と、記憶装置１０３と、インターフェース１０４とを備える。ＰＯＳ端末１００は独立した装置でよく、あるいは他の装置と一体に構成されてよい。
【００４２】
インターフェース１０４は、他の機器に接続されて信号の送受信を行う接続部である。インターフェース１０４は、信号の送受信に必要なプロセッサ、電気回路、アンテナ、接続端子等を含む。インターフェース１０４は、ＣＰＵ１０１からの信号に従って、接続された機器との間で信号の送受信を行う。インターフェース１０４は、例えば撮像装置１１、投影装置１２、表示装置１３および入力装置１５に接続され、それらと信号の送受信を行う。インターフェース１０４は、これらのほかネットワークやその他の機器に接続されてよい。
【００４３】
記憶装置１０３は、ＰＯＳ端末１００が実行するプログラムや、プログラムによる処理結果のデータ等を記憶する。記憶装置１０３は、読み取り専用のＲＯＭ（Ｒｅａｄ  Ｏｎｌｙ  Ｍｅｍｏｒｙ）や、読み書き可能のハードディスクドライブ又はフラッシュメモリ等を含む。また、記憶装置１０３は、ＣＤ−ＲＯＭ等のコンピュータ読取可能な可搬記憶媒体を含んでもよい。メモリ１０２は、ＣＰＵ１０１が処理中のデータや記憶装置１０３から読み出されたプログラムおよびデータを一時的に記憶するＲＡＭ（Ｒａｎｄｏｍ  Ａｃｃｅｓｓ  Ｍｅｍｏｒｙ）等を含む。
【００４４】
ＣＰＵ１０１は、処理に用いる一時的なデータをメモリ１０２に一時的に記録し、記憶装置１０３に記録されたプログラムを読み出し、該プログラムに従って該一時的なデータに対して種々の演算、制御、判別などの処理動作を実行するプロセッサである。また、ＣＰＵ１０１は、記憶装置１０３に処理結果のデータを記録し、またインターフェース１０４を介してデータや制御信号を外部に送信する。
【００４５】
本実施形態においてＣＰＵ１０１は、記憶装置１０３に記録されたプログラムを実行することによって、図２の画像取得部１１０、画像認識部１２０、商品情報取得部１３０および表示制御部１４０として機能する。また、本実施形態において記憶装置１０３は、図２の識別情報記憶部１５１および商品情報記憶部１５２として機能する。
【００４６】
ＰＯＳ端末１００は、図６に示す具体的な構成に限定されない。ＰＯＳ端末１００は、１つの装置に限られず、２つ以上の物理的に分離した装置が有線又は無線で接続されることにより構成されていてもよい。ＰＯＳ端末１００に含まれる各部は、それぞれ電気回路構成により実現されていてもよい。ここで、電気回路構成とは、単一のデバイス、複数のデバイス、チップセット又はクラウドを概念的に含む文言である。
【００４７】
また、ＰＯＳ端末１００の少なくとも一部がＳａａＳ（Ｓｏｆｔｗａｒｅ  ａｓ  ａ  Ｓｅｒｖｉｃｅ）形式で提供されてよい。すなわち、ＰＯＳ端末１００を実現するための機能の少なくとも一部が、ネットワーク経由で実行されるソフトウェアによって実行されてよい。
【００４８】
図７は、本実施形態に係る画像認識方法のフローチャートを示す図である。図７のフローチャートは、利用者が画像認識システム１０に対して画像認識を実行するための所定の操作を行うことによって開始される。例えば、利用者がＰＯＳ端末１００に接続された入力装置１５（キーボードやタッチパネル）のボタンを押下することによって、あるいは所定の時間ごとに、図７のフローチャートが開始される。
【００４９】
まず、画像取得部１１０は、撮像装置１１によって撮像された画像を示す信号を受け取り、画像データとしてＰＯＳ端末１００に入力する（ステップＳ１０１）。
【００５０】
次に、画像認識部１２０は、ステップＳ１０１で取得された画像の中で、支持部２００に対応する領域（支持部領域）に対して、支持部２００の角度Ｃ１および撮像装置１１と支持部２００との位置関係を用いて補正を行い、１つの画像データとして出力する（ステップＳ１０２）。支持部領域は、画像中の位置（例えば画素の座標）として予め設定されている。また、画像認識によって画像から支持部２００の位置を決定し、該位置を支持部領域として用いてもよい。
【００５１】
画像認識部１２０はステップＳ１０２で補正された画像データを用いて商品の画像認識処理を行い、識別情報記憶部１５１の識別情報に基づいて商品を識別する（ステップＳ１０３）。そして画像認識部１２０は、ステップＳ１０３で識別された商品を、画像中の商品として決定する（ステップＳ１０４）。１つの画像データ中に複数の商品が識別された場合には、各商品について以降の処理を行う。
【００５２】
ステップＳ１０４で決定された商品に対して座標判定フラグが設定されている場合に（ステップＳ１０５のＹＥＳ）、画像認識部１２０は、画像中の商品の座標（位置）を取得する（ステップＳ１０６）。座標判定フラグは、商品が配置されている座標を用いて識別処理を行う対象である商品に対して予め設定される。座標判定フラグは、例えば識別情報記憶部１５１に記録される。商品の座標は、例えば画像中で商品の領域を示す座標の集合として表される。ステップＳ１０６の商品の座標の取得は、図７のようにステップＳ１０５の座標判定フラグの判定の後に行われてよく、あるいはステップＳ１０３の画像認識とともに行われてもよい。
【００５３】
画像認識部１２０は、ステップＳ１０６で取得された商品の座標に基づいて、ステップＳ１０４で決定された商品が正しいか否かを判定する（ステップＳ１０７）。具体的には画像認識部１２０は、ステップＳ１０６で取得された商品の座標が、ステップＳ１０４で決定された商品に対応する領域内であれば、正しい商品が決定されていると判定する。一方、画像認識部１２０は、ステップＳ１０６で取得された商品の座標が、ステップＳ１０４で決定された商品に対応する領域内でなければ、誤った商品が決定されていると判定する。
【００５４】
例えば、以下のような処理が行われる。ここでは簡略化のために商品の種類が図５のように小さい商品および大きい商品の２つであることを想定する。画像認識部１２０は、ステップＳ１０４で決定された商品に対応する正しい位置（第１の領域Ｆ１又は第２の領域Ｆ２）を取得する。商品の正しい位置は、予め設定されている。図５の例では、小さい商品の正しい位置は第１の領域Ｆ１であり、大きい商品の正しい位置は第２の領域Ｆ２である。そして、画像認識部１２０は、ステップＳ１０６で取得された商品の座標が、その商品に対応する正しい位置（第１の領域Ｆ１又は第２の領域Ｆ２）にあるか否かを判定する。この判定は任意の方法で行われてよいが、例えば商品に対応する画素群のうち半数以上が、第１の領域Ｆ１に対応する画像中の領域内にある場合に商品の位置は第１の領域Ｆ１上にあると判定され、そうでない場合に第２の領域Ｆ２上にあると判定されてよい。あるいは、商品の領域の中心（重心）が第１の領域Ｆ１にある場合に商品の位置は第１の領域Ｆ１上にあると判定され、そうでない場合に第２の領域Ｆ２上にあると判定されてよい。第１の領域Ｆ１および第２の領域Ｆ２に対応する画像中の領域は、利用者によって予め設定されてよく、あるいは画像認識部１２０が第１の領域Ｆ１および第２の領域Ｆ２を区画する領域区分部２１２を画像認識することによって設定されてよい。
【００５５】
商品の種類の数および領域の数は２つに限られず、少なくとも２つ以上の任意の数でよく、その場合には商品の配置される領域に応じた場合分けを適宜行えばよい。
【００５６】
商品が正しい位置にない場合に（ステップＳ１０８のＮＯ）、ステップＳ１０４で決定された商品を、正しい商品に変更する（ステップＳ１０９）。正しい商品は、ステップＳ１０６で取得された商品の座標を含む領域に対応する商品である。図５の例では、ステップＳ１０６で取得された商品の座標が第１の領域Ｆ１内にある場合には正しい商品は小さい商品であり、第２の領域Ｆ２内にある場合には正しい商品は大きい商品である。
【００５７】
ステップＳ１０４で決定された商品に対して座標判定フラグが設定されていない場合（ステップＳ１０５のＮＯ）又は商品が正しい位置にある場合に（ステップＳ１０８のＹＥＳ）、ステップＳ１０４で決定された商品をそのまま用いる。
【００５８】
最後に、商品情報取得部１３０は、ステップＳ１０４で決定された商品又はステップＳ１０９で変更された商品の商品ＩＤに基づいて商品情報記憶部１５２から商品情報を取得し、表示制御部１４０は表示装置１３を用いて商品情報を表示する制御を行う（ステップＳ１１０）。
【００５９】
特に所定の時間ごとに図７のフローチャートが実行される場合には、載置台１４に置かれたままの同一商品について繰り返し商品情報が取得されてしまい、会計において同一商品の価格が複数回集計されるおそれがある。そこで、画像認識部１２０が所定の時間以内又は所定のフレーム数以内に近似（例えば重心の位置の差が所定の値以下）の位置で同一の商品を識別した場合に、商品情報取得部１３０はステップＳ１１０において該商品についての商品情報の取得を行わない（図７のフローチャートには不図示）。
【００６０】
図７のフローチャートでは、ステップＳ１０４で商品を仮に決定し、該商品の座標が誤った領域である場合にステップＳ１０９において正しい商品に変更するが、この具体的な形態に限られない。例えばステップＳ１０４で画像中の商品に類似する商品の複数の候補を抽出し、該複数の候補のうち座標が正しい領域である候補を、画像中の商品として決定してもよい。
【００６１】
ＰＯＳ端末１００のＣＰＵ１０１は、図７に示す画像認識方法に含まれる各ステップ（工程）の主体となる。すなわち、ＣＰＵ１０１は、図７に示す画像認識方法を実行するためのプログラムをメモリ１０２又は記憶装置１０３から読み出し、該プログラムを実行してＰＯＳ端末１００の各部を制御することによって図７に示す画像認識方法を実行する。
【００６２】
本実施形態に係る画像認識システム１０は、商品の外観に加えて、商品の配置される位置の方法を用いて商品の画像認識を行う。これにより、商品の外観からのみでは画像認識による区別をしづらい商品（本実施形態では外観が類似しているが大きさの異なる飲料缶）について、商品が配置される位置に基づいて画像認識の結果を絞り込むことができるため、画像認識の精度を向上させることができる。
【００６３】
また、支持部２００が商品を支持する角度は固定され、かつ既知であるため、該角度を用いて商品の画像を補正することができる。これにより、画像認識の精度をさらに向上させることができる。
【００６４】
（第２の実施形態）
第１の実施形態では大きさの異なる商品を識別しやすくするために位置を用いるのに対して、本実施形態では種類の異なる商品を識別しやすくするために位置を用いる。本実施形態は、第１の実施形態と同様の構成を有する画像認識システム１０を用いる。本実施形態は、第１の実施形態の代わりに用いられてよく、あるいは第１の実施形態に組み合わせて用いてられてよい。
【００６５】
図８は、本実施形態に係る載置台１４上の認識領域Ａの上面図である。図８には、撮像装置１１を載置台１４上に投影した位置が破線で示されている。
【００６６】
認識領域Ａは、領域区分線Ｇによって第１の領域Ｇ１および第２の領域Ｇ２に区分される。領域区分線Ｇは、認識領域Ａ上に表された線である。領域区分線Ｇは、領域を利用者に視覚的に示すことができれば、認識領域Ａ上に表された記号又は色、あるいは投影装置１２により投影された光、あるいは認識領域Ａ上に設けられた構造でよい。画像認識部１２０は、商品が領域Ｇ１およびＧ２のどちらに配置されているか（すなわち商品が配置されている位置）によって異なる認識処理を行う。
【００６７】
領域Ｇ１、Ｇ２の判別のために、画像認識部１２０は、撮像装置１１によって取得される画像中の各画素が領域Ｇ１およびＧ２のどちらに属するかの情報を予め設定し、商品の位置に対応する画素に基づいて、商品が領域Ｇ１およびＧ２のどちらに配置されているかを判定してもよい。あるいは、画像認識部１２０は、領域区分線Ｇの位置を認識し、領域区分線Ｇの位置と商品との位置関係に基づいて、商品が領域Ｇ１およびＧ２のどちらに配置されているかを判定してもよい。
【００６８】
本実施形態において認識対象とする第１の種類の商品Ｈ１および第２の種類の商品Ｈ２は、互いに種類が異なる商品である。具体的には、商品Ｈ１は、商品の内容を表すパッケージに包まれており外観が一定の一般物品である。一般物品は、外観が安定しているため、外観を用いる画像認識の処理で識別しやすい。一方、商品Ｈ２は、パッケージに包まれていない、又は透明なパッケージに包まれており、商品そのものが見える状態の生鮮食品である。生鮮食品は形状や色等の外観が多様であり、外観を用いる画像認識の処理で識別しづらい。生鮮食品には、商品名、価格およびバーコードを含むラベルが付与されていることが多い。
【００６９】
例えば、商品が第１の領域Ｇ１に配置されている場合には、画像認識部１２０は、商品が一般物品であるものとして画像認識処理を行う。すなわち、図８の例では商品Ｈ１に対して一般物品用の画像認識処理が行われる。商品が第２の領域Ｇ２に配置されている場合には、画像認識部１２０は、商品が生鮮食品であるものとして画像認識処理を行う。すなわち、図８の例では商品Ｈ２に対して生鮮食品用の画像認識処理が行われる。
【００７０】
一般物品用の画像認識処理は、商品全体から算出される特徴量（形状、色、色の分布等）を用いて識別を行う。生鮮食品用の画像認識処理は、商品全体ではなく、商品に付与されたラベル内の領域から算出される特徴量を用いて識別を行う。これにより、一般物品については通常の画像認識を適用するのに対して、外観が不定の生鮮食品については外観が安定したラベルの情報を用いて画像認識を適用するため、画像認識の精度を向上させることができる。それぞれの種類の商品に対する具体的な画像認識処理として、ここに示したものに限られず、その種類に適した任意の方法が用いられてよい。
【００７１】
実際の運用においては、利用者が一般物品である商品Ｈ１を第１の領域Ｇ１に配置し、生鮮食品である商品Ｈ２を第２の領域Ｇ２に配置することによって、画像認識部１２０は種類の異なる商品Ｈ１、Ｈ２に対してそれぞれ適切な画像認識処理を適用することができる。
【００７２】
換言すると、画像認識部１２０は、商品の外観の情報に加えて、商品が配置されている位置の情報に基づいて、商品の識別を行う。これにより商品が配置される位置によって適切な画像認識処理を選択することができ、識別の精度を向上させることができる。
【００７３】
画像認識部１２０が利用する領域の数は２つに限られず、区別すべき商品の種類に応じた少なくとも２つ以上の任意の数でよい。
【００７４】
図９は、本実施形態に係る画像認識方法のフローチャートを示す図である。図９のフローチャートは、利用者が画像認識システム１０に対して画像認識を実行するための所定の操作を行うことによって開始される。例えば、利用者がＰＯＳ端末１００に接続された入力装置１５（キーボードやタッチパネル）のボタンを押下することによって、あるいは所定の時間ごとに、図９のフローチャートが開始される。
【００７５】
まず、画像取得部１１０は、撮像装置１１によって撮像された画像を示す信号を受け取り、画像データとしてＰＯＳ端末１００に入力する（ステップＳ２０１）。
【００７６】
次に、画像認識部１２０は、ステップＳ２０１で取得された画像中の商品の位置を取得する（ステップＳ２０２）。画像中で検出された各商品について、以下のステップＳ２０３〜Ｓ２０７を行う。
【００７７】
画像認識部１２０は、商品の位置が認識領域Ａ上の第１の領域Ｇ１および第２の領域Ｇ２のどちらにあるかを判定する。この判定は任意の方法で行われてよいが、例えば商品に対応する画素群のうち半数以上が、第１の領域Ｇ１に対応する画像中の領域内にある場合に商品の位置は第１の領域Ｇ１上にあると判定され、そうでない場合に第２の領域Ｇ２上にあると判定されてよい。第１の領域Ｇ１および第２の領域Ｇ２に対応する画像中の領域は、利用者によって予め設定されてよく、あるいは画像認識部１２０が第１の領域Ｇ１および第２の領域Ｇ２を区画する領域区分線Ｇを画像認識することによって設定されてよい。
【００７８】
ステップＳ２０２で取得された商品の位置が第１の領域Ｇ１内にある場合には（ステップＳ２０３のＹＥＳ）、画像認識部１２０は、該商品に対して一般物品用の画像認識処理を行い、識別情報記憶部１５１の識別情報に基づいて商品を識別する（ステップＳ２０４）。
【００７９】
ステップＳ２０２で取得された商品の位置が第２の領域Ｇ２内にある場合には（ステップＳ２０３のＮＯ）、画像認識部１２０は、該商品に対して生鮮食品用の画像認識処理を行い、識別情報記憶部１５１の識別情報に基づいて商品を識別する（ステップＳ２０５）。
【００８０】
そして画像認識部１２０は、ステップＳ２０４又はＳ２０５で識別された商品を、画像中の商品として決定する（ステップＳ２０６）。
【００８１】
最後に、商品情報取得部１３０は、ステップＳ２０６で決定された商品の商品ＩＤに基づいて商品情報記憶部１５２から商品情報を取得し、表示制御部１４０は表示装置１３を用いて商品情報を表示する制御を行う（ステップＳ２０７）。
【００８２】
ＰＯＳ端末１００のＣＰＵ１０１は、図９に示す画像認識方法に含まれる各ステップ（工程）の主体となる。すなわち、ＣＰＵ１０１は、図９に示す画像認識方法を実行するためのプログラムをメモリ１０２又は記憶装置１０３から読み出し、該プログラムを実行してＰＯＳ端末１００の各部を制御することによって図９に示す画像認識方法を実行する。
【００８３】
本実施形態に係る画像認識システム１０は、第１の実施形態と同様に、商品の外観に加えて、商品の配置される位置の方法を用いて商品の画像認識を行う。これにより、商品が配置される位置に基づいて商品の種類（本実施形態では一般物品および生鮮食品）ごとに適切な画像認識処理を実行できるため、画像認識の精度を向上させることができる。
【００８４】
（第３の実施形態）
第１の実施形態では大きさの異なる商品を識別しやすくするために位置を用いるのに対して、本実施形態では認識領域中の位置によって環境が異なる場合であっても画像認識の精度を向上させるために位置を用いる。本実施形態は、第１の実施形態と同様の構成を有する画像認識システム１０を用いる。本実施形態は、第１又は第２の実施形態の代わりに用いられてよく、あるいは第１又は第２の実施形態に組み合わせて用いてられてよい。
【００８５】
図１０は、本実施形態に係る載置台１４上の認識領域Ａの上面図である。図１０には、撮像装置１１を載置台１４上に投影した位置が破線で示されている。
【００８６】
認識領域Ａは、各領域上に異なる色が付されることによって第１の領域Ｊ１および第２の領域Ｊ２に区分される。図１０では、第２の領域Ｊ２上に多数の点を表すことによって、第１の領域Ｊ１とは色が異なることが示されている。各領域を利用者に視覚的に示すことができれば、認識領域Ａ上に表された記号又は色、あるいは投影装置１２により投影された光、あるいは認識領域Ａ上に設けられた構造によって各領域が表されてよい。画像認識部１２０は、商品が領域Ｊ１およびＪ２のどちらに配置されているか（すなわち商品が配置されている位置）によって異なる認識処理を行う。
【００８７】
領域Ｊ１、Ｊ２の判別のために、画像認識部１２０は、撮像装置１１によって取得される画像中の各画素が領域Ｊ１およびＪ２のどちらに属するかの情報を予め設定し、商品の位置に対応する画素に基づいて、商品が領域Ｊ１およびＪ２のどちらに配置されているかを判定してもよい。あるいは、画像認識部１２０は、各領域の色に基づいて範囲を特定し、商品が領域Ｊ１およびＪ２のどちらに配置されているかを判定してもよい。
【００８８】
本実施形態において、第１の領域Ｊ１および第２の領域Ｊ２では、環境光の明るさが異なる。光源と認識領域Ａとの間に遮蔽物が存在すると、認識領域Ａに影ができるため、認識領域Ａ上の位置によって明るさが変わる。その結果、商品が配置される位置によって撮像装置１１によって取得される商品の画像の明るさが変化するため、識別情報記憶部１５１に記録されている基準画像（特徴量）との比較結果に影響し得る。図１０の例では、第１の領域Ｊ１は相対的に明るい明領域であり、第２の領域Ｊ２は相対的に暗い暗領域である。
【００８９】
例えば、商品が第１の領域Ｊ１に配置されている場合には、画像認識部１２０は、明るい状態に適した画像認識処理を行う。すなわち、図１０の例では商品Ｋ１に対して明領域用の画像認識処理が行われる。商品が第２の領域Ｊ２に配置されている場合には、画像認識部１２０は、暗い状態に適した画像認識処理を行う。すなわち、図１０の例では商品Ｋ２に対して暗領域用の画像認識処理が行われる。
【００９０】
例えば明領域用の画像認識処理は商品の画像データに対して明度を下げる補正を行った後に画像認識を行い、暗領域用の画像認識処理は商品の画像データに対して明度を上げる補正を行った後に画像認識を行う。これによって明るさを一定に近付けて画像認識を行うことができるため、商品が配置される位置によらず類似の画像認識の条件にすることができ、画像認識の精度を向上させることができる。それぞれの明るさの領域の商品に対する具体的な画像認識処理として、ここに示したものに限られず、その明るさに適した任意の方法が用いられてよい。ここでは単純に画像の明るさを補正しているが、例えば暗領域用の画像認識処理では画像中の色を用いず、明領域用の画像認識処理では画像中の色を用いることのように、領域ごとに処理を大幅に変えてもよい。
【００９１】
換言すると、画像認識部１２０は、商品の外観の情報に加えて、商品が配置されている位置の情報に基づいて、商品の識別を行う。これにより商品が配置される位置の環境に対して適切な画像認識処理を適用することができ、識別の精度を向上させることができる。
【００９２】
画像認識部１２０が利用する領域の数は２つに限られず、区別すべき商品の種類に応じた任意の数でよい。太陽や蛍光灯等の光源の状態が変わるために認識領域Ａ上の明るさが変化する場合には、時間や日付によって各領域の範囲、ならびに各領域に対して行われる処理を変更してもよい。
【００９３】
図１１は、本実施形態に係る画像認識方法のフローチャートを示す図である。図１１のフローチャートは、利用者が画像認識システム１０に対して画像認識を実行するための所定の操作を行うことによって開始される。例えば、利用者がＰＯＳ端末１００に接続された入力装置１５（キーボードやタッチパネル）のボタンを押下することによって、あるいは所定の時間ごとに、図１１のフローチャートが開始される。
【００９４】
まず、画像取得部１１０は、撮像装置１１によって撮像された画像を示す信号を受け取り、画像データとしてＰＯＳ端末１００に入力する（ステップＳ３０１）。
【００９５】
次に、画像認識部１２０は、ステップＳ３０１で取得された画像中の商品の位置を取得する（ステップＳ３０２）。画像中で検出された各商品について、以下のステップＳ３０３〜Ｓ３０７を行う。
【００９６】
画像認識部１２０は、商品の位置が認識領域Ａ上の第１の領域Ｊ１および第２の領域Ｊ２のどちらにあるかを判定する。この判定は任意の方法で行われてよいが、例えば商品に対応する画素群のうち半数以上が、第１の領域Ｊ１に対応する画像中の領域内にある場合に商品の位置は第１の領域Ｊ１上にあると判定され、そうでない場合に第２の領域Ｊ２上にあると判定されてよい。第１の領域Ｊ１および第２の領域Ｊ２に対応する画像中の領域は、利用者によって予め設定されてよく、あるいは画像認識部１２０が第１の領域Ｊ１および第２の領域Ｊ２の色を画像認識することによって設定されてよい。
【００９７】
ステップＳ３０２で取得された商品の位置が第１の領域Ｊ１内にある場合には（ステップＳ３０３のＹＥＳ）、画像認識部１２０は、該商品に対して明領域用の画像認識処理を行い、識別情報記憶部１５１の識別情報に基づいて商品を識別する（ステップＳ３０４）。
【００９８】
ステップＳ３０２で取得された商品の位置が第２の領域Ｊ２内にある場合には（ステップＳ３０３のＮＯ）、画像認識部１２０は、該商品に対して暗領域用の画像認識処理を行い、識別情報記憶部１５１の識別情報に基づいて商品を識別する（ステップＳ３０５）。
【００９９】
そして画像認識部１２０は、ステップＳ３０４又はＳ３０５で識別された商品を、画像中の商品として決定する（ステップＳ３０６）。
【０１００】
最後に、商品情報取得部１３０は、ステップＳ３０６で決定された商品の商品ＩＤに基づいて商品情報記憶部１５２から商品情報を取得し、表示制御部１４０は表示装置１３を用いて商品情報を表示する制御を行う（ステップＳ３０７）。
【０１０１】
ＰＯＳ端末１００のＣＰＵ１０１は、図１１に示す画像認識方法に含まれる各ステップ（工程）の主体となる。すなわち、ＣＰＵ１０１は、図１１に示す画像認識方法を実行するためのプログラムをメモリ１０２又は記憶装置１０３から読み出し、該プログラムを実行してＰＯＳ端末１００の各部を制御することによって図１１に示す画像認識方法を実行する。
【０１０２】
本実施形態に係る画像認識システム１０は、第１の実施形態と同様に、商品の外観に加えて、商品の配置される位置の方法を用いて商品の画像認識を行う。これにより、商品が配置される位置の環境に対して適切な画像認識処理を実行できるため、画像認識の精度を向上させることができる。
【０１０３】
（その他の実施形態）
図１２は、上述の各実施形態に係るＰＯＳ端末１００の概略構成図である。図１２には、ＰＯＳ端末１００が商品の位置の情報を用いて画像認識を行う画像認識装置として機能するための構成例が示されている。ＰＯＳ端末１００は、認識領域に配置されている商品の画像を取得する画像取得部１１０と、取得した前記画像における前記商品の外観および前記商品の前記認識領域中の位置に基づいて、前記商品を識別する画像認識部１２０と、を備える。
【０１０４】
本発明は、上述の実施形態に限定されることなく、本発明の趣旨を逸脱しない範囲において適宜変更可能である。
【０１０５】
上述の各実施形態の機能を実現するように該実施形態の構成を動作させるプログラム（例えば、図７、９および１１に示す処理をＰＯＳ端末１００に実行させるプログラム）を記録媒体に記録させ、該記録媒体に記録されたプログラムをコードとして読み出し、コンピュータにおいて実行する処理方法も各実施形態の範疇に含まれる。すなわち、コンピュータ読取可能な記録媒体も各実施形態の範囲に含まれる。また、上述のコンピュータプログラムが記録された記録媒体はもちろん、そのコンピュータプログラム自体も各実施形態に含まれる。
【０１０６】
該記録媒体としては例えばフロッピー（登録商標）ディスク、ハードディスク、光ディスク、光磁気ディスク、ＣＤ−ＲＯＭ、磁気テープ、不揮発性メモリカード、ＲＯＭを用いることができる。また該記録媒体に記録されたプログラム単体で処理を実行しているものに限らず、他のソフトウェア、拡張ボードの機能と共同して、ＯＳ上で動作して処理を実行するものも各実施形態の範疇に含まれる。
【０１０７】
上記の実施形態の一部又は全部は、以下の付記のようにも記載されうるが、以下には限られない。
【０１０８】
（付記１）
認識領域に配置されている商品の画像を取得する画像取得部と、
取得した前記画像における前記商品の外観および前記商品の前記認識領域中の位置に基づいて、前記商品を識別する画像認識部と、
を備える画像認識装置。
【０１０９】
（付記２）
前記認識領域は少なくとも２つの領域に区分されており、
前記画像認識部は、前記少なくとも２つの領域に対してそれぞれ異なる処理を用いて前記商品を識別することを特徴とする、付記１に記載の画像認識装置。
【０１１０】
（付記３）
前記少なくとも２つの領域は、前記認識領域に表された記号又は色、前記認識領域に投影された光、および前記認識領域に設けられた構造のいずれかによって示されることを特徴とする、付記２に記載の画像認識装置。
【０１１１】
（付記４）
前記画像取得部は、前記認識領域に設けられた支持構造によって支持されている前記商品の前記画像を取得し、
前記画像認識部は、取得した前記画像における前記商品の外観および前記商品の前記支持構造上の位置に基づいて、前記商品を識別することを特徴とする、付記１〜３のいずれか一項に記載の画像認識装置。
【０１１２】
（付記５）
前記画像認識部は、取得した前記画像を前記支持構造が前記商品を支持する角度に基づいて補正し、補正された前記画像を用いて前記商品を識別することを特徴とする付記４に記載の画像認識装置。
【０１１３】
（付記６）
前記画像認識部は、前記商品の前記認識領域中の前記位置に基づいて前記商品の大きさを判定し、前記大きさを用いて前記商品を識別することを特徴とする、付記１〜５のいずれか一項に記載の画像認識装置。
【０１１４】
（付記７）
前記画像認識部は、前記商品を識別する際に、前記商品の前記認識領域中の前記位置に基づいて前記商品の種類を判定し、前記種類を用いて前記商品を識別することを特徴とする、付記１〜６のいずれか一項に記載の画像認識装置。
【０１１５】
（付記８）
前記画像認識部は、前記商品を識別する際に、前記商品の前記認識領域中の前記位置に基づいて、取得した前記画像における前記商品の前記認識領域中の前記位置の明るさを判定し、前記明るさを用いて前記商品を識別することを特徴とする、付記１〜７のいずれか一項に記載の画像認識装置。
【０１１６】
（付記９）
認識領域に配置されている商品の画像を取得するステップと、
取得した前記画像における前記商品の外観および前記商品の前記認識領域中の位置に基づいて、前記商品を識別するステップと、
を有する画像認識方法。
【０１１７】
（付記１０）
コンピュータに、
認識領域に配置されている商品の画像を取得するステップと、
取得した前記画像における前記商品の外観および前記商品の前記認識領域中の位置に基づいて、前記商品を識別するステップと、
を実行させるプログラム。
【０１１８】
（付記１１）
商品を載置するための載置台と、
撮像装置によって取得される前記商品の画像に対して画像認識を行う画像認識装置と、
を備え、
前記画像認識装置は、
前記載置台上の認識領域に配置されている前記商品の前記画像を取得する画像取得部と、
取得した前記画像における前記商品の外観および前記商品の前記認識領域中の位置に基づいて、前記商品を識別する画像認識部と、を備える
ことを特徴とする画像認識システム。
【符号の説明】
【０１１９】
１０  画像認識システム
１１  撮像装置
１２  投影装置
１３  表示装置
１４  載置台
１００  ＰＯＳ端末
１０１  ＣＰＵ
１０２  メモリ
１０３  記憶装置
１０４  インターフェース
１１０  画像取得部
１２０  画像認識部
１３０  商品情報取得部
１４０  表示制御部
２００  支持部
２１１  側面支持面
２１２  底面支持面
Ａ  認識領域
【図１】
2018132868.tif 000003
【図２】
2018132868.tif 000004
【図３】
2018132868.tif 000005
【図４】
2018132868.tif 000006
【図５】
2018132868.tif 000007
【図６】
2018132868.tif 000008
【図７】
2018132868.tif 000009
【図８】
2018132868.tif 000010
【図９】
2018132868.tif 000011
【図１０】
2018132868.tif 000012
【図１１】
2018132868.tif 000013
【図１２】
2018132868.tif 000014